(57)【特許請求の範囲】
【請求項１】
半導体レーザのレーザ光で２次元走査を行うことにより２次元映像を投影するレーザプロジェクタ装置を備える携帯端末装置において、
前記レーザプロジェクタ装置による２次元映像が表示されるスクリーンを設け、このスクリーンを主表示画面とし、
前記スクリーンの一辺近傍を携帯端末装置本体に回転可能に枢支し、スクリーンが携帯端末装置本体に重なるように回転されて折り畳まれ、スクリーンが逆方向に回転されて開かれ、
前記スクリーンに開口部を設け、スクリーンが折り畳まれたときに、前記レーザプロジェクタ装置のレーザ出射部位がスクリーンの開口部から露出することを特徴とする携帯端末装置。
【請求項２】
半導体レーザのレーザ光で２次元走査を行うことにより２次元映像を投影するレーザプロジェクタ装置を備える携帯端末装置において、
前記レーザプロジェクタ装置による２次元映像が表示されるスクリーンを設け、このスクリーンを主表示画面とし、
前記レーザプロジェクタ装置は、携帯端末装置本体に回転可能に支持され、該レーザプロジェクタ装置の回転によりレーザプロジェクタ装置のレーザ出射部位が露出することを特徴とする携帯端末装置。
【請求項３】
前記レーザプロジェクタ装置は、複数種の波長のレーザ光を出射するそれぞれの半導体レーザを備え、これらの半導体レーザのレーザ光で２次元走査を行うことによりカラーの２次元映像を投影することを特徴とする請求項１又は２に記載の携帯端末装置。
【請求項４】
前記レーザプロジェクタ装置のレーザ出射部位を開閉するシャッターを備えたことを特徴とする請求項１又は２に記載の携帯端末装置。
【請求項５】
前記レーザプロジェクタ装置からのレーザ光を検出する光検出部を前記スクリーンに設けたことを特徴とする請求項１又は２に記載の携帯端末装置。
【請求項６】
前記光検出部を前記スクリーンに複数個設けたことを特徴とする請求項５に記載の携帯端末装置。
【請求項７】
前記光検出部を前記スクリーンの四隅にそれぞれ設けたことを特徴とする請求項５に記載の携帯端末装置。
【請求項８】
前記光検出部によるレーザ光の検出タイミングに基づいて、前記レーザプロジェクタ装置から前記スクリーンへのレーザ光の投影状態を判定する判定手段を備えることを特徴とする請求項１又は２に記載の携帯端末装置。
【請求項９】
有線通信もしくは無線通信により電話通話を行う電話通信手段を備えることを特徴とする請求項１又は２に記載の携帯端末装置。
【発明の詳細な説明】
【技術分野】
【０００１】
本発明は、半導体レーザのレーザ光で２次元走査を行うことにより２次元映像を投影するレーザプロジェクタ装置を備える携帯端末装置に関する。
【背景技術】
【０００２】
一般に、携帯電話機等の携帯端末装置は、液晶表示装置や有機ＥＬ表示装置を備えており、その画面に各種のガイダンスやデータを表示する。
【０００３】
ところが、液晶表示装置や有機ＥＬ表示装置は、携帯端末装置の筐体の大きさに合わせて、その画面のサイズを小さく設定されるため、画面上の表示内容を視認し難くなることがあった。
【０００４】
このため、特許文献１、２では、投影用の小型プロジェクタを携帯端末装置に設け、この小型プロジェクタにより外部のスクリーンや壁等に拡大映像を投影することができるようにしている。
【特許文献１】特開２００１−２１９９２号公報
【特許文献２】特開２００２−２６１８８９号公報
【発明の開示】
【発明が解決しようとする課題】
【０００５】
しかしながら、特許文献１、２では、外部のスクリーンや壁等が無ければ、拡大映像を投影することができないことから、液晶表示装置や有機ＥＬ表示装置を併用しているが、プロジェクタと表示装置を共に設けるため、コストの上昇を免れず、また携帯用の機器でありながら、消費電力が大きくなった。
【０００６】
そこで、本発明は、上記従来の問題点に鑑みなされたものであり、外部のスクリーンや壁等を必要とせず、プロジェクタ装置だけでも、常に映像を表示することが可能な携帯端末装置を提供することを目的とする。
【課題を解決するための手段】
【０００７】
上記課題を解決するために、本発明の携帯端末装置は、半導体レーザのレーザ光で２次元走査を行うことにより２次元映像を投影するレーザプロジェクタ装置を備える携帯端末装置において、前記レーザプロジェクタ装置による２次元映像が表示されるスクリーンを設け、このスクリーンを主表示画面とし、前記スクリーンの一辺近傍を携帯端末装置本体に回転可能に枢支し、スクリーンが携帯端末装置本体に重なるように回転されて折り畳まれ、スクリーンが逆方向に回転されて開かれ、前記スクリーンに開口部を設け、スクリーンが折り畳まれたときに、前記レーザプロジェクタ装置のレーザ出射部位がスクリーンの開口部から露出する。
また、本発明の携帯端末装置は、半導体レーザのレーザ光で２次元走査を行うことにより２次元映像を投影するレーザプロジェクタ装置を備える携帯端末装置において、前記レーザプロジェクタ装置による２次元映像が表示されるスクリーンを設け、このスクリーンを主表示画面とし、前記レーザプロジェクタ装置は、携帯端末装置本体に回転可能に支持され、該レーザプロジェクタ装置の回転によりレーザプロジェクタ装置のレーザ出射部位が露出する。
【０００８】
また、前記レーザプロジェクタ装置は、複数種の波長のレーザ光を出射するそれぞれの半導体レーザを備え、これらの半導体レーザのレーザ光で２次元走査を行うことによりカラーの２次元映像を投影している。
【００１２】
また、前記レーザプロジェクタ装置のレーザ出射部位を開閉するシャッターを備えている。
【００１３】
更に、前記レーザプロジェクタ装置からのレーザ光を検出する光検出部を前記スクリーンに設けている。
【００１４】
また、前記光検出部を前記スクリーンに複数個設けている。
【００１５】
更に、前記光検出部を前記スクリーンの四隅にそれぞれ設けている。
【００１６】
また、前記光検出部によるレーザ光の検出タイミングに基づいて、前記レーザプロジェクタ装置から前記スクリーンへのレーザ光の投影状態を判定する判定手段を備えている。
【００１８】
また、有線通信もしくは無線通信により電話通話を行う電話通信手段を備えている。
【発明の効果】
【００１９】
このような本発明の携帯端末装置によれば、レーザプロジェクタ装置による２次元画像が表示されるスクリーンを設けているので、外部のスクリーンや壁等が無くても、常に映像を表示することができる。また、このスクリーンを主表示画面とすることができ、液晶表示装置や有機ＥＬ表示装置を併用する必要がなく、これらの表示装置を省略して、コストや消費電力の低減を図ることができる。
【００２０】
また、レーザプロジェクタ装置として、複数の半導体レーザのレーザ光で２次元走査を行うことによりカラーの２次元映像を投影している。
【００２１】
更に、スクリーンが携帯端末装置本体に重なるように回転されて折り畳まれ、スクリーンが逆方向に回転されて開かれるようにしているので、スクリーンを設けたことにより装置が大型化することはない。
【００２２】
また、スクリーンに開口部を設け、スクリーンが折り畳まれたときに、レーザプロジェクタ装置のレーザ出射部位がスクリーンの開口部から露出するようにしているので、スクリーンを閉じた状態では、レーザ光をスクリーンの開口部を介して外部のスクリーンや壁等に投射することができる。
【００２３】
更に、レーザプロジェクタ装置を携帯端末装置本体に回転可能に支持し、レーザプロジェクタ装置の回転によりレーザ出射部位が露出するようにしているので、装置全体の小型化が容易である。
【００２４】
また、レーザプロジェクタ装置のレーザ出射部位を開閉するシャッターを設けているので、レーザ光が不用意に出射されることを防止することができ、またレーザ出射部位の汚れを防止することができる。
【００２５】
更に、レーザプロジェクタ装置からのレーザ光を検出する光検出部をスクリーンに設けている。あるいは、光検出部をスクリーンに複数個設けている。更には、光検出部をスクリーンの四隅にそれぞれ設けている。この場合は、光検出部によるレーザ光の検出タイミングに基づいて、レーザプロジェクタ装置からスクリーンへのレーザ光の投影状態を判定することが可能である。
【００２７】
更に、有線通信もしくは無線通信により電話通話をしているので、本発明の携帯端末装置を携帯電話機として利用することができる。
【発明を実施するための最良の形態】
【００２８】
以下、本発明の実施形態を添付図面を参照して詳細に説明する。
【００２９】
図１（ａ）、（ｂ）は、本発明の携帯端末装置の第１実施形態である携帯電話機を示す斜視図である。また、図２（ａ）、（ｂ）は、第１実施形態の携帯電話機を示す側面図である。
【００３０】
本実施形態の携帯電話機１は、本体筐体２と、本体筐体２に対して開閉自在に枢支されたスクリーンパネル３と、本体筐体２の上面から一部突出したレーザプロジェクタ装置４とを備えている。
【００３１】
本体筐体２の上面には、各種の操作キー５が配置されている。スクリーンパネル３は、その一辺の軸３ａにより本体筐体２の一端側で枢支されており、図１（ｂ）及び図２（ｂ）に示すようにスクリーンパネル３が本体筐体２に重なるように矢印Ａ方向に回転されて折り畳まれ、また図１（ａ）及び図２（ａ）に示すようにスクリーンパネル３が逆方向に回転されて開かれる。また、スクリーンパネル３には開口部３ｂが形成されており、図１（ｂ）及び図２（ｂ）に示すようにスクリーンパネル３が折り畳まれると、レーザプロジェクタ装置４の突出部４ａが開口部３ｂを通じてスクリーンパネル３の上側に露出するようにされている。更に、スクリーンパネル３の４隅には、それぞれのフォトダイオード６が配置されている。
【００３２】
図３は、携帯電話機１の概略構成を示すブロック図である。図３において、制御部１１は、携帯電話機１全体を制御するものであって、操作キー５の操作による入力指示に応答して無線電話通信部１２を制御したり、映像信号をレーザプロジェクタ装置４に出力する。また、制御部１１は、スクリーンパネル３の４隅の各フォトダイオード６の受光出力を入力し、これらの受光出力に基づいてスクリーンパネル３の開閉程度を判定する。
【００３３】
無線電話通信部１２は、アンテナ１３を通じて無線電話通信を行うものであり、規定の通信プロトコル等を実行して、相手の呼び出しや着呼応答を行い、音声信号を受信してスピーカ１４に加えたり、マイクロホン１５からの音声信号を送信する。
【００３４】
ＴＶチューナ１６は、アンテナ１３を通じて地上波デジタル放送等の放送信号を受信し、この放送信号を復調して、映像信号を制御部１１を通じてレーザプロジェクタ装置４に出力する。
【００３５】
図４は、レーザプロジェクタ装置４の概略構成を示す斜視図である。このレーザプロジェクタ装置４は、レーザ光を出射する半導体レーザ２１と、半導体レーザ２１の駆動回路２２と、半導体レーザ２１からのレーザ光を平行光にするコリメートレンズ２３と、レーザ光を反射してその向きを変更するミラー２４と、レーザ光を反射して主走査方向及び副走査方向に２次元走査する２次元ミラースキャナ２５と備えている。
【００３６】
２次元ミラースキャナ２５は、ＭＥＭＳ（メムス、Micro Electro Mechanical Systems）であり、レーザ光を反射するミラーと、ミラーをＸ軸とＹ軸周りに高速かつ高精度で回転させて、レーザ光を２次元走査するアクチュエータとを備えている。
【００３７】
図１（ａ）及び図２（ａ）に示すように２次元ミラースキャナ２５により２次元走査されたレーザ光は、レーザプロジェクタ装置４の突出部４ａからスクリーンパネル３に投射され、このスクリーンパネル３上に映像が投影される。
【００３８】
制御部１１は、携帯電話機１のガイダンス等の映像を示す映像信号を生成して、この映像信号をレーザプロジェクタ装置４に出力したり、ＴＶチューナ１６からの映像信号をレーザプロジェクタ装置４に出力する。レーザプロジェクタ装置４は、制御部１１から映像信号を入力し、この映像信号によって示されるガイダンス等の映像やＴＶ放送の映像をスクリーンパネル３上に投影する。
【００３９】
このような投影に際しては、図１（ａ）及び図２（ａ）に示すようにレーザ光の投射範囲がスクリーンパネル３に調度収まるように、２次元ミラースキャナ２５による２次元走査がなされる。
【００４０】
制御部１１は、スクリーンパネル３上側２隅の各フォトダイオード６の受光出力に基づき該各フォトダイオード６によるレーザ光の受光タイミングを検出して、これらの受光タイミングが１主走査ラインの走査開始タイミングと走査終了タイミングに一致するか否かを判定する。同様に、制御部１１は、スクリーンパネル３下側２隅の各フォトダイオード６の受光出力に基づき該各フォトダイオード６によるレーザ光の受光タイミングを検出して、これらの受光タイミングが１主走査ラインの走査開始タイミングと走査終了タイミングに一致するか否かを判定する。
【００４１】
そして、制御部１１は、図５に示すように上側２隅の各フォトダイオード６の受光タイミングが上側主走査ラインＬ1の走査開始タイミングと走査終了タイミングに一致し、かつ下側２隅の各フォトダイオード６の受光タイミングが下側主走査ラインＬ2の走査開始タイミングと走査終了タイミングに一致するように、２次元ミラースキャナ２５による主走査方向の走査角度を制御する。
【００４２】
また、スクリーンパネル３上側では該パネル３から２次元ミラースキャナ２５までの距離が長く、スクリーンパネル３下側になるほど２次元ミラースキャナ２５までの距離が徐々に短くなるので、スクリーンパネル３の上側から下側へと主走査ラインが移行するにつれて、２次元ミラースキャナ２５による主走査方向の走査角度が徐々に狭くされて、スクリーンパネル３上の主走査ラインの長さが一定にされる。
【００４３】
制御部１１は、上側から下側へと主走査ラインが移行するにつれて、２次元ミラースキャナ２５による主走査方向の走査角度が徐々に狭くされて、スクリーンパネル３上の主走査ラインの長さが一定となるように、２次元ミラースキャナ２５による主走査方向の走査角度を制御する。
【００４４】
これにより、レーザ光の投射範囲がスクリーンパネル３に調度収まることになる。
【００４５】
あるいは、制御部１１は、本体筐体２に対するスクリーンパネル３の開き角度αが一定角度に調節されて、レーザ光の投射範囲がスクリーンパネル３に調度収まるように、パネル３上の表示により該パネル３の開き角度αの調整を利用者に促す。
【００４６】
本体筐体２に対するスクリーンパネル３の開き角度αが一定角度に調節され、レーザ光の投射範囲がスクリーンパネル３に調度収まる場合は、図５に示すようにレーザ光による上側主走査ラインＬ1の走査開始タイミングと走査終了タイミングで、スクリーンパネル３の上側２隅の各フォトダイオード６がレーザ光をそれぞれ受光し、かつレーザ光による下側主走査ラインＬ2の走査開始タイミングと走査終了タイミングで、スクリーンパネル３の下側２隅の各フォトダイオード６がレーザ光をそれぞれ受光する。このとき、制御部１１は、上側２隅の各フォトダイオード６の受光タイミングが上側主走査ラインＬ1の走査開始タイミングと走査終了タイミングに一致し、かつ下側２隅の各フォトダイオード６の受光タイミングが下側主走査ラインＬ2の走査開始タイミングと走査終了タイミングに一致することから、スクリーンパネル３の開き角度αが一定角度であると判定し、この旨をレーザプロジェクタ装置４を介してスクリーンパネル３に表示する。利用者は、この表示を見て、スクリーンパネル３の開き角度αが適切であると知ることができる。
【００４７】
また、スクリーンパネル３の開き角度αが一定角度を超えた状態では、スクリーンパネル３と２次元ミラースキャナ２５間の距離が長くなり、レーザ光の投射範囲がスクリーンパネル３からはみ出し、スクリーンパネル３の上側２隅の各フォトダイオード６の受光タイミングが上側主走査ラインＬ1の走査開始タイミングと走査終了タイミングから外れ、かつ下側２隅の各フォトダイオード６の受光タイミングも下側主走査ラインＬ2の走査開始タイミングと走査終了タイミングから外れる。このとき、制御部３は、そのような受光タイミングのずれに基づいて、スクリーンパネル３の開き角度αが一定角度を超えていると判定し、この旨をレーザプロジェクタ装置４を介してスクリーンパネル３に表示する。利用者は、この表示を見て、スクリーンパネル３の開き角度αが小さくなるように調節することができる。
【００４８】
更に、スクリーンパネル３の開き角度αが一定角度未満の状態では、スクリーンパネル３と２次元ミラースキャナ２５間の距離が短くなり、レーザ光の投射範囲がスクリーンパネル３よりも狭くなり、上側主走査ラインＬ1の走査期間においてスクリーンパネル３の上側２隅の各フォトダイオード６が受光せず、かつ下側主走査ラインＬ2の走査期間において下側２隅の各フォトダイオード６も受光しなくなる。このとき、制御部３は、１主走査ラインの走査期間において各フォトダイオード６が受光しないことから、スクリーンパネル３の開き角度αが一定角度未満であるとみなし、この旨をレーザプロジェクタ装置４を介してスクリーンパネル３に表示する。利用者は、この表示を見て、スクリーンパネル３の開き角度αが大きくなるように調節することができる。
【００４９】
従って、利用者は、スクリーンパネル３上に表示されたスクリーンパネル３の開き角度αの程度を見ながら、スクリーンパネル３の開き角度αを一定角度に調節することができる。
【００５０】
尚、スクリーンパネル３の１隅だけにフォトダイオード６を設けても、このフォトダイオード６の受光タイミングに基づいてスクリーンパネル３の開き角度αの大小を判定することができる。また、スクリーンパネル３の開き角度αの大小に応じてレーザ光の受光タイミングが変化するパネル３上の位置であれば、どのような位置にフォトダイオード６を配置しても、このフォトダイオード６の受光タイミングに基づいて開き角度αの大小を判定することができる。
【００５１】
一方、図６（ａ）、（ｂ）に示すようにスクリーンパネル３が折り畳まれ、レーザプロジェクタ装置４の突出部４ａが開口部３ｂを通じてスクリーンパネル３の上側に露出した状態では、レーザプロジェクタ装置４のレーザ光を開口部３ｂを介して外部のスクリーンや壁等に投射し、拡大映像を投影することができる。
【００５２】
このような携帯電話機１においては、図７（ａ）、（ｂ）に示すようにスクリーンパネル３の開口部３ｂに、レーザプロジェクタ装置４の突出部４ａのレーザ光出射部位を開閉するシャッター２６を設けても良い。このシャッター２６は、くの字型片であり、その一辺が開口部３ｂの一縁で枢支されて、開閉自在となっている。スクリーンパネル３が折り畳まれて、シャッター２６が閉じられた状態では、レーザ光が不用意に出射されることを防止することができ、またレーザ出射部位の汚れを防止することができる。図８に示すようにシャッター２６が開かれた状態では、レーザプロジェクタ装置４のレーザ光を投射して、拡大映像を外部のスクリーンや壁等に投影することができる。
【００５３】
また、図４のレーザプロジェクタ装置４はモノクロ画像を投影するものであるが、この代わりに図９に示すようなカラー画像を投影することが可能なレーザプロジェクタ装置４Ａを適用しても構わない。このカラー用のレーザプロジェクタ装置４Ａは、相互に波長が異なる赤、緑、青のレーザ光を出射するそれぞれの半導体レーザ２１Ｒ、２１Ｇ、２１Ｂと、それぞれの駆動回路２２Ｒ、２２Ｇ、２２Ｂと、各色のレーザ光を平行光にするコリメートレンズ２３Ｒ、２３Ｇ、２３Ｂと、半導体レーザ２１Ｒからのレーザ光を反射するミラー２４Ｒと、半導体レーザ２１Ｇからのレーザ光を反射しかつミラー２４Ｒからのレーザ光を透過するハーフミラー２４Ｇと、半導体レーザ２１Ｂからのレーザ光を反射しかつミラー２４Ｒ及びハーフミラー２４Ｇからのレーザ光を透過するハーフミラー２４Ｂと、各色のレーザ光を反射して主走査方向及び副走査方向に２次元走査する２次元ミラースキャナ２５とを備えている。各ミラー２４Ｒ、２４Ｇ、２４Ｂにより各色のレーザ光が同一光軸に重ねられて２次元ミラースキャナ２５のミラー上に入射し、各色のレーザ光が２次元走査されてスクリーンパネル３上に投射され、カラー画像がスクリーンパネル３上に投影される。
【００５４】
図１０（ａ）、（ｂ）は、本発明の携帯端末装置の第２実施形態である携帯電話機を示す斜視図である。
【００５５】
本実施形態の携帯電話機３１では、本体筐体３２と、本体筐体３２に対して開閉自在に枢支されたスクリーンパネル３３と、本体筐体３２下端に設けられたレーザプロジェクタ装置３４とを備えている。
【００５６】
レーザプロジェクタ装置３４は、本体筐体３２と同一の幅と厚みを有する筐体状のものであり、図１１（ａ）に示すようにその一端面にレーザ光出射部位３４ａと回転軸３４ｂを有し、回転軸３４ｂが本体筐体３２側で回転自在に支持されて、レーザプロジェクタ装置３４が本体筐体３２に対して回転可能になっている。図１１（ｂ）に示すようにレーザプロジェクタ装置３４は、図９のレーザプロジェクタ装置４Ａと同様にカラー用のものであり、３個の半導体レーザ３５、３個のコリメートレンズ３６、３個のミラーもしくはハーフミラー３７、及び２次元ミラースキャナ３８等を備えている。
【００５７】
図１２に示すようにスクリーンパネル３３が開かれて、レーザプロジェクタ装置３４が本体筐体３２に対して９０度回転されると、レーザプロジェクタ装置３４のレーザ光出射部位３４ａが露出してスクリーンパネル３３と対向し、レーザ光出射部位３４ａからスクリーンパネル３３へとレーザ光を投射して、スクリーンパネル３３上に映像を投影することが可能になる。
【００５８】
特に、大型のレーザプロジェクタ装置３４を用いる場合は、本実施形態のように本体筐体３２一端にレーザプロジェクタ装置３４を設けることにより、携帯電話機３１全体をコンパクトにまとめることができる。
【００５９】
図１３は、本発明の携帯端末装置の第３実施形態である携帯電話機を示す斜視図である。
【００６０】
本実施形態の携帯電話機４１では、本体筐体４２と、本体筐体４２とは別体のレーザプロジェクタ装置４３と、レーザプロジェクタ装置４３筐体に対して開閉自在に枢支されたスクリーンパネル４４とを備えている。
【００６１】
本体筐体４２は、携帯電話機４１として動作するのに必要な全ての機能を備えており、操作キーの操作に応じて発呼や着信応答を行い、受信した音声を再生したり、入力音声を送信することができる。
【００６２】
レーザプロジェクタ装置４３は、コード４５を介して本体筐体４２に接続されており、携帯電話機４１のガイダンス等の映像を示す映像信号を本体筐体４２から入力して、この映像をスクリーンパネル４４に投影する。コード４５は、レーザプロジェクタ装置４３もしくは本体筐体４２に対して接離可能に接続される。
【００６３】
また、レーザプロジェクタ装置４３は、地上波デジタル放送等の放送信号を受信して映像信号に復調するＴＶチューナ等を内蔵しており、この映像信号によって示される映像をスクリーンパネル４４に投影する。従って、図１４（ａ）、（ｂ）に示すようにコード４５を取り外して、レーザプロジェクタ装置４３単体の状態でも、地上波デジタル放送等の放送信号を受信して、その映像を投影することが可能である。
【００６４】
尚、図１５に示すように本体筐体４２とレーザプロジェクタ装置４３間を近距離無線通信により接続しても構わない。
【００６５】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと解される。
【図面の簡単な説明】
【００６６】
【図１】本発明の携帯端末装置の第１実施形態である携帯電話機を示す斜視図であり、（ａ）はスクリーンパネルを開いた状態を示し、（ｂ）はスクリーンパネルを閉じた状態を示す。
【図２】図１の携帯電話機を示す側面図であり、（ａ）はスクリーンパネルを開いた状態を示し、（ｂ）はスクリーンパネルを閉じた状態を示す。
【図３】図１の携帯電話機の構成を示すブロック図である。
【図４】図１の携帯電話機におけるレーザプロジェクタ装置の概略構成を示す斜視図である。
【図５】図１の携帯電話機におけるスクリーンパネル上の４隅のフォトダイオードによるレーザ光の検出状態を示す図である。
【図６】（ａ）、（ｂ）は、スクリーンパネルを閉じた状態で投影を行っている携帯電話機を示す斜視図及び側面図である。
【図７】（ａ）、（ｂ）は、図１の携帯電話機の変形例を示す斜視図及び側面図である。
【図８】図７の携帯電話機におけるシャッターを開いた状態を示す斜視図である。
【図９】カラー用のレーザプロジェクタ装置の概略構成を示す斜視図である。
【図１０】本発明の携帯端末装置の第２実施形態である携帯電話機を示す斜視図であり、（ａ）はスクリーンパネルを開いた状態を示し、（ｂ）はスクリーンパネルを閉じた状態を示す。
【図１１】（ａ）、（ｂ）は、図１０の携帯電話機におけるレーザプロジェクタ装置を示す斜視図及び透視図である。
【図１２】図１０の携帯電話機におけるレーザプロジェクタ装置筐体を９０度回転させた状態を示す斜視図である。
【図１３】本発明の携帯端末装置の第３実施形態である携帯電話機を示す斜視図である。
【図１４】図１３の携帯端末装置におけるレーザプロジェクタ装置を示す斜視図であり、（ａ）はスクリーンパネルを開いた状態を示し、（ｂ）はスクリーンパネルを閉じた状態を示す。
【図１５】図１３の携帯電話機の変形例を示す斜視図である。
【符号の説明】
【００６７】
１  携帯電話機
２  本体筐体
３  スクリーンパネル
４  レーザプロジェクタ装置
５  操作キー
６  フォトダイオード
１１  制御部
１２  無線電話通信部
１３  アンテナ
１４  スピーカ
１５  マイクロホン
１６  ＴＶチューナ
２１、２１Ａ、２１Ｇ、２１Ｂ  半導体レーザ
２２、２２Ａ、２２Ｇ、２２Ｂ  駆動回路
２３、２３Ａ、２３Ｇ、２３Ｂ  コリメートレンズ
２４、２４Ａ  ミラー
２４Ｇ、２４Ｂ  ハーフミラー
２５  ２次元ミラースキャナ
２６  シャッター
【図１】
0005047058.tif 000002
【図２】
0005047058.tif 000003
【図３】
0005047058.tif 000004
【図４】
0005047058.tif 000005
【図５】
0005047058.tif 000006
【図６】
0005047058.tif 000007
【図７】
0005047058.tif 000008
【図８】
0005047058.tif 000009
【図９】
0005047058.tif 000010
【図１０】
0005047058.tif 000011
【図１１】
0005047058.tif 000012
【図１２】
0005047058.tif 000013
【図１３】
0005047058.tif 000014
【図１４】
0005047058.tif 000015
【図１５】
0005047058.tif 000016